(57)【要約】【課題】屋根の頂部に受信アンテナを設けることができ、いずれの方向からの電波も指向性高く受信することが可能になり、またアンテナコードを通すための孔を屋根などに開けることが不要にすることができる屋根の棟役物を提供する。【解決手段】屋根の棟に取り付けられる棟役物１に、放送用の送信電波を受信する受信アンテナ２を内蔵する。受信アンテナ２を内蔵した棟役物１を屋根の棟に取り付けることによって、屋根の頂部である棟に受信アンテナ２を設けることができる。【選択図】図１
2007284949.tif 000002
【特許請求の範囲】
【請求項１】
屋根の棟に取り付けられる棟役物であって、放送用の送信電波を受信する受信アンテナを内蔵して成ることを特徴とする屋根の棟役物。
【請求項２】
棟役物を、屋根の棟に固定するベース体と、ベース体の上に取り付けられる役物本体とから形成し、役物本体に受信アンテナを内蔵して成ることを特徴とする請求項１に記載の屋根の棟役物。
【請求項３】
棟役物を、下面が開口する中空の断面逆Ｕ字状に形成し、棟役物の中空内部に受信アンテナを設けて成ることを特徴とする請求項１に記載の屋根の棟役物。
【請求項４】
屋根の棟に取り付けられた他の棟役物の端部に形成された係合凹段部に、上側から係合して棟役物同士の接続を行なう係合突片を、受信アンテナを内蔵する上記の棟役物の両端部にそれぞれ張り出して設けて成ることを特徴とする請求項１乃至３のいずれかに記載の屋根の棟役物。
【発明の詳細な説明】
【技術分野】
【０００１】
本発明は、棟瓦として屋根の棟に取り付けて使用される屋根の棟役物に関するものである。
【背景技術】
【０００２】
ＶＨＦやＵＨＦなど、放送用の送信電波を受信する受信アンテナとしては、八木式アンテナを用いるのが一般的である。しかしこの八木式アンテナは屋根の上に立てることによって設置されているので、台風などの強風で倒れたり、破損したりするおそれがあり、メンテナンスサイクルが短いという問題がある。
【０００３】
そこで、屋根の瓦に受信アンテナを内蔵し、図９に示すように、屋根に屋根瓦１０を葺く際に、この受信アンテナ内蔵の屋根瓦１０ａを、他の通常の屋根瓦１０の一部として葺くことによって、屋根面１１に受信アンテナを組み込むことが提案されている（例えば特許文献１等参照）。
【特許文献１】特開平９−１６７９０５号公報
【発明の開示】
【発明が解決しようとする課題】
【０００４】
しかし、図９にみられるように屋根面１１は傾斜しているので、屋根面１１が向いている方向の電波しか受信することができず、受信したい電波の方向に受信アンテナの指向性を合わせることができないことがあり、また受信アンテナは屋根面に設けられるので、屋根の最も高い頂部に設けることはできず、受信性能にも問題を有するものであった。さらに、受信アンテナに接続されるケーブルを屋内のＴＶ受信機に接続するためには、屋根面やあるいは壁面に孔を開けて、この孔にケーブルを通すようにする必要があり、施工に手間を要すると共に防水上の問題も生じるものであった。
【０００５】
本発明は上記の点に鑑みてなされたものであり、屋根の頂部に受信アンテナを設けることができ、いずれの方向からの電波も指向性高く受信することが可能になり、またアンテナコードを通すための孔を屋根などに開けることを不要にすることができる屋根の棟役物を提供することを目的とするものである。
【課題を解決するための手段】
【０００６】
本発明の請求項１に係る屋根の棟役物は、屋根の棟に取り付けられる棟役物１であって、放送用の送信電波を受信する受信アンテナ２を内蔵して成ることを特徴とするものである。
【０００７】
この発明によれば、受信アンテナ２を内蔵した棟役物１を屋根の棟に取り付けることによって、屋根の頂部である棟に受信アンテナ２を設けることができ、屋根面の傾斜の向きに関係なく、いずれの方向からの電波も受信することができる。また棟の頂部には野地板等の屋根下地材の間において元々隙間が形成されているので、アンテナケーブルはこの隙間から屋内に通すことができ、アンテナケーブルを通すための孔を屋根などに開けることが不要になる
また請求項２の発明は、請求項１において、棟役物１を、屋根の棟に固定するベース体３と、ベース体３の上に取り付けられる役物本体４とから形成し、役物本体４に受信アンテナ２を内蔵して成ることを特徴とするものである。
【０００８】
この発明によれば、ベース体３に対して役物本体４の取り付けの向きを変えることによって受信アンテナ２の向きを変えることができ、電波受信の指向性をより高くすることができる。
【０００９】
また請求項３の発明は、請求項１において、棟役物１を、下面が開口する中空の断面逆Ｕ字状に形成し、棟役物１の中空内部に受信アンテナ２を設けて成ることを特徴とするものである。
【００１０】
この発明によれば、棟瓦として形成される棟役物１の形状を利用して、棟役物１を特別な形状に形成する必要なく、棟役物１内に受信アンテナ２を内蔵することができる。
【００１１】
また請求項４の発明は、請求項１乃至３のいずれかにおいて、屋根の棟に取り付けられた他の棟役物５の端部に形成された係合凹段部６に、上側から係合して棟役物１，５同士の接続を行なう係合突片７を、受信アンテナ２を内蔵する上記の棟役物１の両端部にそれぞれ張り出して設けて成ることを特徴とするものである。
【００１２】
この発明によれば、受信アンテナ２を内蔵する棟役物１を、他の通常の棟役物５の間に取り付ける施工をした後でも、係合凹段部６に対する係合突片７の係合を外して、受信アンテナ２を内蔵する棟役物１を取り外すことができ、受信アンテナ２を内蔵する棟役物１の補修・点検や取り換えを容易に行なうことができる。
【発明の効果】
【００１３】
本発明によれば、受信アンテナ２を内蔵した棟役物１を屋根の棟に取り付けることによって、屋根の頂部である棟に受信アンテナ２を設けることができるものであり、屋根面の傾斜の向きに関係なく、いずれの方向からの電波も受信することができ、高い指向性で受信することが可能になるものである。また棟の頂部には野地板等の屋根下地材の間において元々隙間が形成されており、アンテナケーブルはこの隙間から屋内に通すことができるものであり、アンテナケーブルを通すための孔を屋根などに開けることが不要になるものである。
【発明を実施するための最良の形態】
【００１４】
以下、本発明を実施するための最良の形態を説明する。
【００１５】
図３は棟瓦として使用される通常の棟役物４を示すものであり、セメント系など窯業系の材料を成形して、下面が開口する断面略逆Ｕ字状に形成してある。この通常の棟役物４の一方の端部には、上面及び両側面の外面にかけて、係合凹段部６が凹設してあり、他方の端部の端面には、上部及び両側部にかけて、係合突片１２が張り出して設けてある。
【００１６】
一方、図２は本発明に係る受信アンテナ内蔵の棟役物１の実施の形態の一例を示すものであり、図２（ａ）のように、棟役物１を基部のベース体３と、役物本体４とから形成してある。ベース体３と役物本体４はそれぞれ、屋根において棟瓦として使用される通常の棟役物５と同じ材質の窯業系材料で形成してある。棟役物１を金属材で形成すると、金属による電波の遮蔽効果で、内蔵する受信アンテナ２の受信性能が低下するので、このように窯業系材料で形成するのが好ましい。そして図２（ｂ）のように、ベース体３の上に役物本体４を重ねた状態で、その上面から両側面の外面にかけての外形が、屋根の棟瓦として使用される上記の通常の棟役物５の外形と同形状になるように形成してある。また、役物本体４の両端面には、その上部から両側部にかけて上部係合突片７ａが外方へ張り出して設けてあり、ベース体３の両端部には、その両側部に下部係合突片７ｂが張り出して設けてある。ベース体３の上に役物本体４を重ねて取り付けると、図２（ｂ）に示すように上部係合突片７ａと下部係合突片７ｂが連続して、屋根の棟瓦として使用される上記の通常の棟役物５の係合突片１２と同形状の係合突片７が形成されるようになっている。
【００１７】
役物本体４は内部を中空に形成してあり、役物本体４内に受信アンテナ２が取り付けてある。受信アンテナ２には同軸ケーブルなどで形成されるアンテナケーブル１３が接続してあり、このアンテナケーブル１３は役物本体４の下面の中央から下方へ導出してある。
【００１８】
またベース体３は下面が開口する断面コ字形に形成してあり、ベース体３の上面の中央にはアンテナケーブル１３を通すことができる配線用孔１４が上下に貫通して穿設してある。さらにベース体３の端部には固定用孔２４が設けてある。
【００１９】
屋根の棟は、図４（ａ）に示すように、複数の棟役物５を一列に配置して棟瓦として取り付けることによって形成されるものであり、隣合う棟役物５は係合凹段部６の上に係合突片１２を係合させて接続するようにしてある。図４（ｂ）は屋根の棟部の構造を示すものであり、１７は垂木、１８は垂木の上に取り付けられる野地板である。この野地板１８の上に平板瓦などの屋根瓦１０が敷設されるものであり、棟を挟んだ各屋根瓦１０の上に防水シール１９を介して笠木２０が釘２１等で固定してある。棟役物５は、この両笠木２０の上を跨ぐように配置されるものであり、棟役物５に通したビス２２等を各笠木２０に打入することによって固定するようにしてある。また図４（ｂ）において３４は棟木である。
【００２０】
そして、本発明の受信アンテナ内蔵の棟役物１は、上記の棟瓦として使用される一般の棟役物５の一部の代りに取り付けられるものである。この棟役物１を取り付けるにあたっては、図１（ａ）に示すように、一対の笠木２０の上を跨ぐようにベース体３を配置し、ベース体３の固定用孔２４に通したビス２２等を各笠木２０に打入して、まずベース体３を固定した後、ベース体３の配線用孔１４にアンテナケーブル１３を通した状態で、ベース体３の上に役物本体４を固定することによって、行なうことができる。ベース体３への役物本体４の固定は、ビス止めなど任意の方法で行なうことができるものである。
【００２１】
ここで、上記の棟瓦として使用される一般の棟役物５の取り付けは、この受信アンテナ内蔵の棟役物１の両側に隣接する棟役物５の係合凹段部６がそれぞれ受信アンテナ内蔵の棟役物１の側に向くように行なわれるものである。従って図１（ｂ）に示すように、受信アンテナ内蔵の棟役物１の両端部の係合突片７を、隣接する各棟役物５の係合凹段部６に上から係合させることによって、受信アンテナ内蔵の棟役物１を他の一般の棟役物５と接続することができるものである。このように受信アンテナ内蔵の棟役物１は両端部の係合突片７を一般の棟役物５の係合凹段部６に係合させるようにしているので、この受信アンテナ内蔵の棟役物１を取り付けた後でも、係合凹段部６に対する係合突片７の係合を外して、受信アンテナ内蔵の棟役物１を取り外すことができるものであり、受信アンテナ２が故障したときの棟役物１の取り換えや、棟役物１を取り外して受信アンテナ２の保守点検を容易に行なうことができるものである。
【００２２】
また受信アンテナ内蔵の棟役物１から引き出されるアンテナケーブル１３は、図１（ｂ）に示すように、棟を挟んで対向する屋根瓦１０の端部間の隙間や、野地板１８の端部間の隙間を通して、屋内に引き込むことができ、屋内のＴＶ受信機に接続することができるものである。ここで、棟役物５で覆われる棟の部分において、棟を挟んで対向する屋根瓦１０や野地板１８の端部間には元々隙間があるので、この隙間を利用してアンテナケーブル１３を通して屋内に引き込むことができるものであり、アンテナケーブル１３を屋内に引き込むために屋根や壁に孔を開けるような必要がなくなるものである。
【００２３】
上記のようにして受信アンテナ２を内蔵した棟役物１を屋根の棟に取り付けることができるものであり、この棟役物１は他の一般の棟役物５と外観を等しく形成してあるので、棟の外観意匠を損なうことなく、棟に受信アンテナ２を組み込むことができるものである。そしてこのように受信アンテナ２を屋根の頂部である棟に組み込むことによって、屋根面の傾斜の向きに関係なく、いずれの方向からの電波も指向性高く受信することができるものである。また上記のようにベース体３の上に役物本体４を取り付ける際に、役物本体４の取り付けの向きを左右逆にすることによって、役物本体４に内蔵した受信アンテナ２の向きを左右に反転させることができるものであり、電波受信の指向性をより高くすることができるものである。
【００２４】
図５は本発明に係る受信アンテナ内蔵の棟役物１の他の実施の形態を示すものであり、ベース体３の上端部の両側面にそれぞれ全長に亘って係止溝２６を外方へ開口させて凹設すると共に、受信アンテナ２を内蔵する役物本体４の下面の両側端にそれぞれ全長に亘って係止突片２７を内方へ突出させて設けてある。そして係止溝２６に係止突片２７をスライドさせて差し込んで係止させることによって、ベース体３の上に役物本体４を脱着自在に取り付けることができるものである。
【００２５】
図６（ａ）は本発明に係る受信アンテナ内蔵の棟役物１の他の実施の形態を示すものであり、棟役物１を、下面が開口する中空の断面逆Ｕ字状に形成してある。そして棟役物１の中空内部に受信アンテナ２を内蔵したアンテナモジュール２９を取り付けることによって、棟役物１に受信アンテナ２を内蔵させるようにしてある。このように、棟瓦として形成される棟役物１の形状を利用して、棟役物１を特別な形状に形成する必要なく、棟役物１内に受信アンテナ２を内蔵することができるものである。棟役物１の下面が開口する断面逆Ｕ字状は、図６（ａ）のような形状に限定されるものではなく、例えば図６（ｂ）のような形状のものであってもよい。
【００２６】
図７（ａ）（ｂ）は、棟頂部に煙突様外観の立設体３０を設けた屋根を示すものである。このように棟頂部に立設体３０を設けたものにあって、立設体３０の上端部に受信アンテナ２を内蔵したアンテナモジュール２９を取り付けることによって、棟頂部に受信アンテナ２を組み込むことができる。立設体３０は棟頂部よりも更に上方に突出しているので、受信アンテナ２によって、いずれの方向からの電波も指向性高く受信することができるものである。煙突様外観の立設体３０は、図７（ａ）のように角型に形成したり、図７（ｂ）のように丸型に形成したりする他、三角形に形成することもできる。また煙突様外観の立設体３０は、上記のように屋根の棟頂部に設けるようにする他、図７（ｃ）のように屋根面に設けるようにしてもよい。
【００２７】
図８は、妻壁に妻飾り３１を取り付けるようにした家屋を示すものである。そして受信アンテナ２を内蔵したアンテナモジュール２９で妻飾り３１を形成することによって、家屋の壁面に受信アンテナ２を組み込むことができるものである。
【図面の簡単な説明】
【００２８】
【図１】本発明の実施の形態の一例を示すものであり、（ａ）は屋根の棟に受信アンテナ内蔵の棟役物を取り付けた状態の断面図、（ｂ）は受信アンテナ内蔵の棟役物と他の一般の棟役物との接続状態を示す断面図である。
【図２】同上の受信アンテナ内蔵の棟役物を示すものであり、（ａ）は分解斜視図、（ｂ）は斜視図である。
【図３】一般の棟役物を示す斜視図である。
【図４】屋根の棟を示すものであり、（ａ）は斜視図、（ｂ）は断面図である。
【図５】本発明の受信アンテナ内蔵の棟役物の他の実施の形態を示す分解正面図である。
【図６】本発明の受信アンテナ内蔵の棟役物のさらに他の実施の形態を示すものであり、（ａ）（ｂ）はそれぞれ正面図である。
【図７】屋根の立設体に受信アンテナを組み込むようにした例を示すものであり、（ａ）（ｂ）（ｃ）はそれぞれ斜視図である。
【図８】壁面の妻飾りに受信アンテナを組み込むようにした例を示す斜視図である。
【図９】従来例を示す斜視図である。
【符号の説明】
【００２９】
１  棟役物
２  受信アンテナ
３  ベース体
４  役物本体
５  棟役物
６  係合凹段部
７  係合突片
【図１】
2007284949.tif 000003
【図２】
2007284949.tif 000004
【図３】
2007284949.tif 000005
【図４】
2007284949.tif 000006
【図５】
2007284949.tif 000007
【図６】
2007284949.tif 000008
【図７】
2007284949.tif 000009
【図８】
2007284949.tif 000010
【図９】
2007284949.tif 000011